【手続補正書】
【提出日】平成22年6月14日(2010.6.14)
【手続補正１】
【補正対象書類名】明細書
【補正対象項目名】００１２
【補正方法】変更
【補正の内容】
【００１２】
さらにまた別の局面において、本発明は、荷重指示式留め具を生産する方法に関する。該方法は、第１の一連のネジ部、接触表面部を画定するヘッド部、および該接触表面部に付随する軸部を備える留め具本体を提供することと、荷重指示器を配置することであって、最小の直径を有するスルーホール部を画定する環状の本体と、該環状の本体と一体の複数の突出部とを有し、打撃されて、該環状の本体から部分的にせん断変形されることにより、該環状の本体の第１の面から突出し、対応する複数のくぼみ部を該第１の面から反対の位置の該環状の本体の第２の面内において残し、荷重指示器を該軸部のまわりに配置することにより、該突出部は、該ヘッド部の接触表面部の近くで該ヘッド部の接触表面部と位置合わせされる、ことと、該軸部のまわりに該スルーホール部の最小直径より大きい外側の直径を有する少なくとも１つの半径方向に延在する部材を画定することにより、該荷重指示器は、該部材によって該留め具本体に保持されることとを包含する。
本発明は、さらに以下の手段を提供する。
（項目１）
荷重指示式留め具であって、
荷重指示器と、
留め具本体と
を備え、
該荷重指示器は、
最小の直径を有するスルーホール部を画定する環状の本体と、
該環状の本体と一体の複数の突出部であって、打撃されて、該環状の本体から部分的にせん断変形されることにより、該環状の本体の第１の面から突出し、対応する複数のくぼみ部を該第１の面から反対の位置の該環状の本体の第２の面内において残す、突出部と
を備え、
該留め具本体は、
一連のネジ部と、
接触表面部を画定するヘッド部と、
該接触表面部に付随する軸部と
を備え、
該軸部は、
第１の部分であって、該第１の部分が、該スルーホール部の最小直径より小さい第１の外側の直径を有することにより、該荷重指示器は、該突出部によって、該ヘッド部の接触表面部の近くで該ヘッド部の接触表面部と位置合わせされて該軸部の第１の部分の上に受容される、第１の部分と、
第２の部分であって、該第２の部分が、該スルーホール部の最小直径より大きい第２の外側の直径を有する少なくとも１つの半径方向に延在する部材を含むことにより、該荷重指示器は、該部材によって該留め具本体の上に保持される、第２の部分と
を含む、
荷重指示式留め具。
（項目２）
上記突出部のそれぞれは、湾曲した輪郭であり、
（ａ）上記環状の本体の第１の面から離れて延在する一対の外側の側壁と、
（ｂ）該一対の外側の側壁の間と、該環状の本体の第１の面の間隔をおいて配置された２つの領域の間とに延在する外側の表面と
によって画定され、
上記くぼみ部のそれぞれは、湾曲した輪郭であり、
（ａ）一対の内側の側壁であって、上記環状の本体の第２の面から該環状の本体を通して延在しており、該環状の本体から該突出部のうちの１つの一対の外側の側壁がせん断変形される、一対の内側の側壁と、
（ｂ）該一対の内側の側壁の間と、該環状の本体の第２の面の間隔をおいて配置された２つの領域の間とに延在する内側の表面と
によって画定される、
項目１に記載の荷重指示式留め具。
（項目３）
上記突出部の半径方向に最も外側の地点は、上記ヘッド部の接触表面部によって画定された周縁部内の円上に存在する、項目１に記載の荷重指示式留め具。
（項目４）
上記留め具本体は、上記ヘッド部および上記軸部を通して延在するスルーボア部を画定し、上記一連のネジ部は、該スルーボア部の内側表面に沿って提供される、項目１に記載の荷重指示式留め具。
（項目５）
上記軸部の自由端部は、半径方向に外側に向かって変形されて、上記少なくとも１つの半径方向に延在する部材を構成する、項目４に記載の荷重指示式留め具。
（項目６）
上記軸部の自由端部は、別個に間隔をおいて配置された複数のタブを含む、項目５に記載の荷重標示留め具。
（項目７）
上記第２の外側の直径より大きい直径を有する環状の溝部は、上記スルーホール部のまわりに上記環状の本体の第２の面において画定されて、該環状の本体内に保持肩部を画定する、項目５に記載の荷重指示式留め具。
（項目８）
上記半径方向に延在する部材と上記ヘッド部の接触表面部との間の距離は、上記保持肩部と上記突出部の山の頂との間の距離より大きい、項目７に記載の荷重指示式留め具。
（項目９）
上記留め具が締着されるときに、上記軸部の自由端部が上記環状の溝部内に保持されるように、該軸部の自由端部および該環状の溝部が構成される、項目７に記載の荷重指示式留め具。
（項目１０）
組み立てられた状態において、上記少なくとも１つの半径方向に延在する部材は、上記環状の溝部内に完全に保持される、項目７に記載の荷重指示式留め具。
（項目１１）
上記環状の溝部は、上記環状の本体の厚さの約半分の深さを有する、項目７に記載の荷重指示式留め具。
（項目１２）
上記一連のネジ部は、上記軸部の第２の部分の外側の表面に沿って提供される、項目１に記載の荷重指示式留め具。
（項目１３）
上記ネジ部が、上記スルーホール部の最小直径より大きい山の頂の直径を有することにより、該一連のネジ部のネジ端部は、上記環状の本体の第２の面と係合して、上記半径方向に延在する部材を画定する、項目１２に記載の荷重指示式留め具。
（項目１４）
上記ネジ端部と上記ヘッド部の接触表面部との間の距離は、上記環状の本体の第２の面と上記突出部の山の頂との間の距離より大きい、項目１３に記載の荷重指示式留め具。
（項目１５）
上記荷重指示器および上記留め具本体のそれぞれが、選択された特性を有することにより、上記荷重指示式留め具上に所望のテンションを加えると、所望のギャップが、上記環状の本体の第１の面と上記留め具本体の接触表面部との間に達成される、項目１に記載の荷重指示式留め具。
（項目１６）
上記荷重指示器の選択された特性は、上記突出部の数、該突出部のサイズ、該突出部の形態、上記環状の本体の材料、および該環状の本体の硬度のうちの１つ以上を含む、項目１５に記載の荷重指示式留め具。
（項目１７）
上記荷重指示器の選択された特性は、上記留め具本体のサイズ、該留め具本体の材料、上記接触表面部の硬度、ネジのピッチ、およびネジの種類のうちの１つ以上を含む、項目１５に記載の荷重指示式留め具。
（項目１８）
荷重指示器であって、
最小の直径を有するスルーホール部を画定する環状の本体と、
該環状の本体と一体の複数の突出部であって、打撃されて、該環状の本体から部分的にせん断変形されることにより、該環状の本体の第１の面から突出し、対応する複数のくぼみ部を該第１の面から反対の位置の該環状の本体の第２の面内において残す、突出部と、
第２の外側の直径より大きい直径を有する環状の溝部であって、該スルーホール部のまわりに該環状の本体の第２の面において画定される、環状の溝部と
を備える、荷重指示器。
（項目１９）
接合アセンブリであって、
少なくとも１つの接合部材と、
荷重指示式留め具と
を備え、
該荷重指示式留め具は、
荷重指示器と、
留め具本体と、
二次留め具と
を備え、
該荷重指示器は、
最小の直径を有するスルーホール部を画定する環状の本体と、
該環状の本体と一体の複数の突出部であって、打撃されて、該環状の本体から部分的にせん断変形されることにより、該環状の本体の第１の面から突出し、対応する複数のくぼみ部を該第１の面から反対の位置の該環状の本体の第２の面内において残す、突出部と
を備え、
該留め具本体は、
第１の一連のネジ部と、
接触表面部を画定する第１のヘッド部と、
該接触表面部に付随する第１の軸部と
を備え、
該二次留め具は、
第２の留め具本体と、
第２の一連のネジ部と
を備え、
該第１の軸部は、
第１の部分であって、該第１の部分が、該スルーホール部の最小直径より小さい第１の外側の直径を有することにより、該荷重指示器は、該突出部によって、該ヘッド部の接触表面部の近くで該ヘッド部の接触表面部と位置合わせされて該軸部の第１の部分の上に受容される、第１の部分と、
第２の部分であって、該第２の部分が、該スルーホール部の最小直径より大きい第２の外側の直径を有する少なくとも１つの半径方向に延在する部材を含むことにより、該荷重指示器は、該部材によって該留め具本体の上に保持される、第２の部分と
を含み、
該第１の軸部または該第２の留め具本体の一部分は、該少なくとも１つの接合部材を通して延在しており、該第１の一連のネジ部は、該第１のヘッド部の接触表面部が、該環状の本体の第１の面から所与の距離間隔をおいて配置されるまで、該第２の一連のネジ部とネジ式に係合される、
接合アセンブリ。
（項目２０）
荷重指示式留め具であって、
留め具本体と、
該留め具本体の一部分のまわりに配置され、かつ該留め具本体の一部分によって捕捉される環状の本体を有する荷重指示器であって、該荷重指示器は、該環状の本体と一体の複数の突出部をさらに有し、該突出部は、打撃されて、該環状の本体から部分的にせん断変形されることにより、該環状の本体の第１の面から突出し、対応する複数のくぼみ部を該第１の面から反対の位置の該環状の本体の第２の面内において残す、荷重指示器と
を備える、荷重指示式留め具。
（項目２１）
荷重指示式留め具であって、
荷重指示器と、
留め具本体と
を備え、
該荷重指示器は、
最小の直径を有するスルーホール部を画定する環状の本体と、
該環状の本体と一体の複数の突出部であって、打撃されて、該環状の本体から部分的にせん断変形されることにより、該環状の本体の第１の面から突出し、対応する複数のくぼみ部を該第１の面から反対の位置の該環状の本体の第２の面内において残す、突出部と、
第２の外側の直径より大きい直径を有する環状の溝部であって、該スルーホール部のまわりに該第２の面において画定されて、環状の本体において保持肩部を画定する、環状の溝部と
を備え、
該留め具本体は、
一連のネジ部と、
接触表面部を画定するヘッド部と、
該接触表面部に付随する軸部と
を備え、
該軸部は、
第１の部分であって、該第１の部分が、該スルーホール部の最小直径より小さい第１の外側の直径を有することにより、該荷重指示器は、該突出部によって、該ヘッド部の接触表面部の近くで該ヘッド部の接触表面部と位置合わせされて該軸部の第１の部分の上に受容される、第１の部分と、
第２の部分であって、該第２の部分が、該スルーホール部の最小直径より大きい第２の外側の直径を有する少なくとも１つの半径方向に延在する部材を含むことにより、該少なくとも１つの半径方向に延在する部材は、該環状の溝部において受容され、該保持肩部と係合して、該荷重指示器を該留め具本体の上に捕捉する、第２の部分と
を含む、
荷重指示式留め具。
（項目２２）
荷重指示式留め具を生産する方法であって、
第１の一連のネジ部、接触表面部を画定するヘッド部、および該接触表面部に付随する軸部を備える留め具本体を提供するステップと、
荷重指示器を配置するステップであって、該荷重指示器は、最小の直径を有するスルーホール部を画定する環状の本体と、該環状の本体と一体の複数の突出部とを有し、打撃されて、該環状の本体から部分的にせん断変形されることにより、該環状の本体の第１の面から突出し、対応する複数のくぼみ部を該第１の面から反対の位置の該環状の本体の第２の面内において残し、荷重指示器を該軸部のまわりに配置することにより、該突出部は、該ヘッド部の接触表面部の近くで該ヘッド部の接触表面部と位置合わせされる、ステップと、
該軸部のまわりに該スルーホール部の最小直径より大きい外側の直径を有する少なくとも１つの半径方向に延在する部材を画定するステップであって、該荷重指示器は、該部材によって該留め具本体の上に保持される、ステップと
を包含する、方法。
（項目２３）
上記留め具本体は、上記ヘッド部および上記軸部を通して延在するスルーボア部を画定し、上記一連のネジ部は、該スルーボア部の内側表面に沿って提供される、項目２２に記載の方法。
（項目２４）
第２の外側の直径より大きい直径を有する環状の溝部を、上記スルーホール部のまわりに上記環状の本体の第２の面において形成して、該環状の本体内に保持肩部を画定するステップをさらに包含する、項目２３に記載の方法。
（項目２５）
上記少なくとも１つの半径方向に延在する部材を画定するステップは、半径方向に外側に向かって上記軸部の自由端部を変形させることにより、該半径方向に外側に向かって変形した自由端部が、上記環状の溝部において受容されるようにすることを含む、項目２４に記載の方法。
（項目２６）
上記少なくとも１つの半径方向に延在する部材を画定するステップは、上記軸部の外側の表面に沿って上記一連のネジ部を形成することを含む、項目２２に記載の方法。
例えば、本発明は以下の項目も提供する。
（項目１Ａ）
荷重指示式留め具であって、
荷重指示器と、
留め具本体と
を備え、
該荷重指示器は、
最小の直径を有するスルーホール部と保持肩部とを画定する環状の本体と、
山の頂を有し、該環状の本体と一体の複数の突出部であって、打撃されて、該環状の本体から部分的にせん断変形されることにより、該環状の本体の第１の面から突出し、対応する複数のくぼみ部を該第１の面から反対の位置の該環状の本体の第２の面内において残す、突出部と
を備え、
該留め具本体は、
一連のネジ部と、
接触表面部を画定するヘッド部と、
該接触表面部に付随する軸部と
を備え、
該軸部は、
第１の部分であって、該第１の部分が、該スルーホール部の最小直径より小さい第１の外側の直径を有することにより、該荷重指示器は、該突出部によって、該ヘッド部の接触表面部の近くで該ヘッド部の接触表面部と位置合わせされて該軸部の第１の部分の上に受容される、第１の部分と、
第２の部分であって、該第２の部分が、該スルーホール部の最小直径より大きい第２の外側の直径を有する少なくとも１つの半径方向に延在する、上面を有する部材を含むことにより、該荷重指示器は、該保持肩部と係合する該上面によって該留め具本体の上に保持され、該上面と該ヘッド部の接触表面との間の距離は、該保持肩部と該突出部の山の頂との間の距離よりも大きい、第２の部分と
を含む、
荷重指示式留め具。
（項目２Ａ）
上記突出部のそれぞれは、湾曲した輪郭であり、
（ａ）上記環状の本体の第１の面から離れて延在する一対の外側の側壁と、
（ｂ）該一対の外側の側壁の間と、該環状の本体の第１の面の間隔をおいて配置された２つの領域の間とに延在する外側の表面と
によって画定され、
上記くぼみ部のそれぞれは、湾曲した輪郭であり、
（ａ）一対の内側の側壁であって、上記環状の本体の第２の面から該環状の本体を通して延在しており、該環状の本体から該突出部のうちの１つの一対の外側の側壁がせん断変形される、一対の内側の側壁と、
（ｂ）該一対の内側の側壁の間と、該環状の本体の第２の面の間隔をおいて配置された２つの領域の間とに延在する内側の表面と
によって画定される、
項目１Ａに記載の荷重指示式留め具。
（項目３Ａ）
上記突出部の半径方向に最も外側の地点は、上記ヘッド部の接触表面部によって画定された周縁部内の円上に存在する、項目１Ａに記載の荷重指示式留め具。
（項目４Ａ）
上記留め具本体は、上記ヘッド部および上記軸部を通して延在するスルーボア部を画定し、上記一連のネジ部は、該スルーボア部の内側表面に沿って提供される、項目１Ａに記載の荷重指示式留め具。
（項目５Ａ）
上記軸部の自由端部は、半径方向に外側に向かって変形されて、上記少なくとも１つの半径方向に延在する部材を構成する、項目４Ａに記載の荷重指示式留め具。
（項目６Ａ）
上記軸部の自由端部は、別個に間隔をおいて配置された複数のタブを含む、項目５Ａに記載の荷重標示留め具。
（項目７Ａ）
上記第２の外側の直径より大きい直径を有する環状の溝部は、上記スルーホール部のまわりに上記環状の本体の第２の面において画定されて、該環状の本体内に上記保持肩部を画定する、項目５Ａに記載の荷重指示式留め具。
（項目８Ａ）
上記留め具が締着されるときに、上記軸部の自由端部が上記環状の溝部内に保持されるように、該軸部の自由端部および該環状の溝部が構成される、項目７Ａに記載の荷重指示式留め具。
（項目９Ａ）
組み立てられた状態において、上記少なくとも１つの半径方向に延在する部材は、上記環状の溝部内に完全に保持される、項目７Ａに記載の荷重指示式留め具。
（項目１０Ａ）
上記環状の溝部は、上記環状の本体の厚さの約半分の深さを有する、項目７Ａに記載の荷重指示式留め具。
（項目１１Ａ）
上記一連のネジ部は、上記軸部の第２の部分の外側の表面に沿って提供される、項目１Ａに記載の荷重指示式留め具。
（項目１２Ａ）
上記ネジ部が、上記スルーホール部の最小直径より大きい山の頂の直径を有することにより、該一連のネジ部のネジ端部は、上記環状の本体の第２の面と係合して、上記半径方向に延在する部材を画定する、項目１１Ａに記載の荷重指示式留め具。
（項目１３Ａ）
上記荷重指示器および上記留め具本体のそれぞれが、選択された特性を有することにより、上記荷重指示式留め具上に所望のテンションを加えると、所望のギャップが、上記環状の本体の第１の面と上記留め具本体の接触表面部との間に達成される、項目１Ａに記載の荷重指示式留め具。
（項目１４Ａ）
上記荷重指示器の選択された特性は、上記突出部の数、該突出部のサイズ、該突出部の形態、上記環状の本体の材料、および該環状の本体の硬度のうちの１つ以上を含む、項目１３Ａに記載の荷重指示式留め具。
（項目１５Ａ）
上記荷重指示器の選択された特性は、上記留め具本体のサイズ、該留め具本体の材料、上記接触表面部の硬度、ネジのピッチ、およびネジの種類のうちの１つ以上を含む、項目１３Ａに記載の荷重指示式留め具。
（項目１６Ａ）
接触表面、外側の直径を有する軸部、上面および底面を有する半径方向に延在する部材を有する留め具本体と係合するように構成された荷重指示器であって、
厚さを有し、該軸部の外側の直径よりも大きい最小の直径を有するスルーホール部を画定する環状の本体と、
山の頂および非圧縮高さを有する該環状の本体と一体の該環状の本体から形成された複数の突出部であって、該環状の本体の第１の面から突出し、対応する複数のくぼみ部を該第１の面から反対の位置の該環状の本体の第２の面内において残す、突出部と
を備え、
該第２の面は、該スルーホールの最小の直径よりも大きい内側の直径を有する環状の溝部を含み、該環状の溝部は、該環状の本体の該厚さを通して部分的に延在しており、該保持肩部を画定しており、
該荷重指示器が、該保持肩部と係合する該上面によって該留め具本体上に保持されるときに、（ａ）該上面と該ヘッド部の接触表面との間の距離が、該保持肩部と該突出部の山の頂との間の距離よりも大きくなり、（ｂ）該突出部が該接触表面と非圧縮状態で接触するときに、該半径方向に延在する部材の底面と該第２の面との間の距離が、該非圧縮高さよりも大きくなる、荷重指示器。
（項目１７Ａ）
接合アセンブリであって、
少なくとも１つの接合部材と、
荷重指示式留め具と
を備え、
該荷重指示式留め具は、
荷重指示器と、
留め具本体と、
二次留め具と
を備え、
該荷重指示器は、
最小の直径を有するスルーホール部と保持肩部とを画定する環状の本体と、
山の頂を有し、該環状の本体と一体の複数の突出部であって、打撃されて、該環状の本体から部分的にせん断変形されることにより、該環状の本体の第１の面から突出し、対応する複数のくぼみ部を該第１の面から反対の位置の該環状の本体の第２の面内において残す、突出部と
を備え、
該留め具本体は、
第１の一連のネジ部と、
接触表面部を画定する第１のヘッド部と、
該接触表面部に付随する第１の軸部と
を備え、
該二次留め具は、
第２の留め具本体と、
第２の一連のネジ部と
を備え、
該第１の軸部は、
第１の部分であって、該第１の部分が、該スルーホール部の最小直径より小さい第１の外側の直径を有することにより、該荷重指示器は、該突出部によって、該ヘッド部の接触表面部の近くで該ヘッド部の接触表面部と位置合わせされて該軸部の第１の部分の上に受容される、第１の部分と、
第２の部分であって、該第２の部分が、該スルーホール部の最小直径より大きい第２の外側の直径を有する、上面を有する少なくとも１つの半径方向に延在する部材を含むことにより、該荷重指示器は、該保持肩部と係合する該上面によって該留め具本体の上に保持され、該上面と該ヘッド部の接触表面との間の距離は、該保持肩部と該突出部の山の頂との間の距離よりも大きい、第２の部分と
を含み、
該第１の軸部または該第２の留め具本体の一部分は、該少なくとも１つの接合部材を通して延在しており、該第１の一連のネジ部は、該第１のヘッド部の接触表面部が、該環状の本体の第１の面から所与の距離間隔をおいて配置されるまで、該第２の一連のネジ部とネジ式に係合される、
接合アセンブリ。
（項目１８Ａ）
荷重指示式留め具であって、
接触表面と、底面を有する半径方向に延在する部材とを有する留め具本体と、
該留め具本体の一部分のまわりに配置され、かつ該留め具本体の一部分によって捕捉される環状の本体を有する荷重指示器であって、該荷重指示器は、該環状の本体と一体の複数の突出部をさらに有し、該突出部は、打撃されて、該環状の本体から部分的にせん断変形されることにより、該環状の本体の第１の面から突出し、対応する複数のくぼみ部を該第１の面から反対の位置の該環状の本体の第２の面内において残し、該突出部は、非圧縮高さを有し、該突出部が該接触表面と非圧縮状態で接触するときに、該半径方向に延在する部材の底面と該第２の面との間の距離が、該高さよりも大きくなる、荷重指示器と
を備える、荷重指示式留め具。
（項目１９Ａ）
荷重指示式留め具を生産する方法であって、
第１の一連のネジ部、接触表面部を画定するヘッド部、および該接触表面部に付随する軸部を備える留め具本体を提供するステップと、
荷重指示器を提供するステップであって、該荷重指示器は、（ａ）最小の直径を有するスルーホール部と保持肩部とを画定する環状の本体と、（ｂ）山の頂を有し、該環状の本体と一体の該環状の本体から形成された複数の突出部であって、該環状の本体の第１の面から突出し、対応する複数のくぼみ部を該第１の面から反対の位置の該環状の本体の第２の面内において残す、突出部とを含む、ステップと、
荷重指示器を該軸部のまわりに配置するステップであって、該突出部は、該ヘッド部の接触表面部の近くで該ヘッド部の接触表面部と位置合わせされる、ステップと、
該軸部のまわりに該スルーホール部の最小直径より大きい外側の直径を有する少なくとも１つの半径方向に延在する、上面を有する部材を画定するステップであって、該荷重指示器は、該保持肩部と係合する該上面によって該留め具本体の上に保持され、該上面と該ヘッド部の接触表面との間の距離は、該保持肩部と該突出部の山の頂との間の距離よりも大きい、ステップと
を包含する、方法。
（項目２０Ａ）
上記留め具本体は、上記ヘッド部および上記軸部を通して延在するスルーボア部を画定し、上記一連のネジ部は、該スルーボア部の内側表面に沿って提供される、項目１９Ａに記載の方法。
（項目２１Ａ）
第２の外側の直径より大きい直径を有する環状の溝部を、上記スルーホール部のまわりに上記環状の本体の第２の面において形成して、該環状の本体内に上記保持肩部を画定するステップをさらに包含する、項目２０Ａに記載の方法。
（項目２２Ａ）
上記少なくとも１つの半径方向に延在する部材を画定するステップは、半径方向に外側に向かって上記軸部の自由端部を変形させることにより、該半径方向に外側に向かって変形した自由端部が、上記環状の溝部において受容されるようにすることを含む、項目２１Ａに記載の方法。
（項目２３Ａ）
上記少なくとも１つの半径方向に延在する部材を画定するステップは、上記軸部の外側の表面に沿って上記一連のネジ部を形成することを含む、項目１９に記載の方法。
【手続補正２】
【補正対象書類名】特許請求の範囲
【補正対象項目名】全文
【補正方法】変更
【補正の内容】
【特許請求の範囲】
【請求項１】
荷重指示式留め具であって、
荷重指示器と、
留め具本体と
を備え、
該荷重指示器は、
最小の直径を有するスルーホール部と保持肩部とを画定する環状の本体と、
山の頂を有し、該環状の本体と一体の複数の突出部であって、打撃されて、該環状の本体から部分的にせん断変形されることにより、該環状の本体の第１の面から突出し、対応する複数のくぼみ部を該第１の面から反対の位置の該環状の本体の第２の面内に残す、突出部と
を備え、
該留め具本体は、
一連のネジ部と、
接触表面部を画定するヘッド部と、
該接触表面部に付随する軸部と
を備え、
該軸部は、
第１の部分であって、該第１の部分が、該スルーホール部の最小直径より小さい第１の外側の直径を有することにより、該荷重指示器は、該突出部によって、該ヘッド部の接触表面部の近くで該ヘッド部の接触表面部と位置合わせされて該軸部の第１の部分の上に受容される、第１の部分と、
第２の部分であって、該第２の部分が、該スルーホール部の最小直径より大きい第２の外側の直径を有する少なくとも１つの半径方向に延在する、上面を有する部材を含むことにより、該荷重指示器は、該保持肩部と係合するように構成されている該上面によって該留め具本体の上に保持され、該上面と該ヘッド部の接触表面との間の距離は、該保持肩部と該突出部の山の頂との間の距離よりも大きいことにより、該突出部がつぶされる前に、制御されたギャップが該上面と該保持肩部との間に存在する、第２の部分と
を含む、
荷重指示式留め具。
【請求項２】
前記複数の突出部のそれぞれは、湾曲した輪郭であり、
（ａ）前記環状の本体の第１の面から離れて延在する一対の外側の側壁と、
（ｂ）該一対の外側の側壁の間と、該環状の本体の第１の面の間隔をおいて配置された２つの領域の間とに延在する外側の表面と
によって画定され、
前記複数のくぼみ部のそれぞれは、湾曲した輪郭であり、
（ａ）一対の内側の側壁であって、前記環状の本体の第２の面から該環状の本体を通して延在しており、該環状の本体から該複数の突出部のうちの１つの一対の外側の側壁がせん断変形される、一対の内側の側壁と、
（ｂ）該一対の内側の側壁の間と、該環状の本体の第２の面の間隔をおいて配置された２つの領域の間とに延在する内側の表面と
によって画定される、
請求項１に記載の荷重指示式留め具。
【請求項３】
前記突出部の半径方向に最も外側の地点は、前記ヘッド部の接触表面部によって画定された周縁部内の円上に存在する、請求項１に記載の荷重指示式留め具。
【請求項４】
前記留め具本体は、前記ヘッド部および前記軸部を通して延在するスルーボア部を画定し、前記一連のネジ部は、該スルーボア部の内側表面に沿って提供される、請求項１に記載の荷重指示式留め具。
【請求項５】
前記軸部の自由端部は、半径方向に外側に向かって変形されて、前記少なくとも１つの半径方向に延在する部材を構成する、請求項４に記載の荷重指示式留め具。
【請求項６】
前記軸部の自由端部は、間隔をおいて配置された複数のタブを含む、請求項５に記載の荷重標示留め具。
【請求項７】
前記第２の外側の直径より大きい直径を有する環状の溝部は、前記スルーホール部のまわりに前記環状の本体の第２の面において画定されて、該環状の本体内に前記保持肩部を画定する、請求項５に記載の荷重指示式留め具。
【請求項８】
前記留め具が締着されるときに、前記軸部の自由端部が前記環状の溝部内に保持されるように、該軸部の自由端部および該環状の溝部が構成される、請求項７に記載の荷重指示式留め具。
【請求項９】
組み立てられた状態において、前記少なくとも１つの半径方向に延在する部材は、前記環状の溝部内に完全に保持される、請求項７に記載の荷重指示式留め具。
【請求項１０】
前記環状の溝部は、前記環状の本体の厚さの約半分の深さを有する、請求項７に記載の荷重指示式留め具。
【請求項１１】
前記一連のネジ部は、前記軸部の第２の部分の外側の表面に沿って提供される、請求項１に記載の荷重指示式留め具。
【請求項１２】
前記ネジ部が、前記スルーホール部の最小直径より大きい山の頂の直径を有することにより、該一連のネジ部のネジ端部は、前記環状の本体の第２の面と係合して、前記半径方向に延在する部材を画定する、請求項１１に記載の荷重指示式留め具。
【請求項１３】
前記荷重指示器および前記留め具本体のそれぞれが、選択された特性を有することにより、前記荷重指示式留め具上に所望の張力を加えると、所望のギャップが、前記環状の本体の第１の面と前記留め具本体の接触表面部との間で達成される、請求項１に記載の荷重指示式留め具。
【請求項１４】
前記荷重指示器の選択された特性は、前記突出部の数、該突出部のサイズ、該突出部の形態、前記環状の本体の材料、および該環状の本体の硬度のうちの１つ以上を含む、請求項１３に記載の荷重指示式留め具。
【請求項１５】
前記荷重指示器の選択された特性は、前記留め具本体のサイズ、該留め具本体の材料、前記接触表面部の硬度、ネジのピッチ、およびネジの種類のうちの１つ以上を含む、請求項１３に記載の荷重指示式留め具。
【請求項１６】
接触表面と、外側の直径を有する軸部と、上面および底面を有する半径方向に延在する部材とを有する留め具本体と係合するように構成された荷重指示器であって、該荷重指示器は、
厚さを有し、該軸部の外側の直径よりも大きい最小の直径を有するスルーホール部を画定する環状の本体と、
山の頂および非圧縮高さを有し、該環状の本体と一体化され、該環状の本体から形成された複数の突出部であって、該環状の本体の第１の面から突出し、対応する複数のくぼみ部を該第１の面から反対の位置の該環状の本体の第２の面内に残す、突出部と
を備え、
該第２の面は、該スルーホール部の最小の直径よりも大きい内側の直径を有する環状の溝部を含み、該環状の溝部は、該環状の本体の該厚さを通して部分的に延在しており、該保持肩部を画定しており、
該荷重指示器が、該保持肩部と係合する該上面によって該留め具本体上に保持されるときに、（ａ）該上面と該ヘッド部の接触表面との間の距離が、該保持肩部と該突出部の山の頂との間の距離よりも大きくなり、（ｂ）該突出部が該接触表面と非圧縮状態で接触するときに、該半径方向に延在する部材の底面と該第２の面との間の距離が、該非圧縮高さよりも大きくなる、荷重指示器。
【請求項１７】
接合アセンブリであって、
少なくとも１つの接合部材と、
荷重指示式留め具と
を備え、
該荷重指示式留め具は、
荷重指示器と、
留め具本体と、
二次留め具と
を備え、
該荷重指示器は、
最小の直径を有するスルーホール部と保持肩部とを画定する環状の本体と、
山の頂を有し、該環状の本体と一体の複数の突出部であって、打撃されて、該環状の本体から部分的にせん断変形されることにより、該環状の本体の第１の面から突出し、対応する複数のくぼみ部を該第１の面から反対の位置の該環状の本体の第２の面内に残す、突出部と
を備え、
該留め具本体は、
第１の一連のネジ部と、
接触表面部を画定する第１のヘッド部と、
該接触表面部に付随する第１の軸部と
を備え、
該二次留め具は、
第２の留め具本体と、
第２の一連のネジ部と
を備え、
該第１の軸部は、
第１の部分であって、該第１の部分が、該スルーホール部の最小直径より小さい第１の外側の直径を有することにより、該荷重指示器は、該突出部によって、該ヘッド部の接触表面部の近くで該ヘッド部の接触表面部と位置合わせされて該軸部の第１の部分の上に受容される、第１の部分と、
第２の部分であって、該第２の部分が、上面と、該スルーホール部の最小直径より大きい第２の外側の直径とを有する少なくとも１つの半径方向に延在する部材を含むことにより、該荷重指示器は、該保持肩部と係合するように構成されている該上面によって該留め具本体の上に保持され、該上面と該ヘッド部の接触表面との間の距離は、該保持肩部と該突出部の山の頂との間の距離よりも大きいことにより、該突出部がつぶされる前に、制御されたギャップが該上面と該保持肩部との間に存在する、第２の部分と
を含み、
該第１の軸部または該第２の留め具本体の一部分は、該少なくとも１つの接合部材を通して延在しており、該第１の一連のネジ部は、該第１のヘッド部の接触表面部が、該環状の本体の第１の面から所与の距離間隔をおいて配置されるまで、該第２の一連のネジ部とネジ式に係合される、
接合アセンブリ。
【請求項１８】
荷重指示式留め具であって、
接触表面と、底面を有する半径方向に延在する部材とを有する留め具本体と、
該留め具本体の一部分のまわりに配置され、かつ該留め具本体の一部分によって捕捉される環状の本体を有する荷重指示器であって、該荷重指示器は、該環状の本体と一体の複数の突出部をさらに有し、該突出部は、打撃されて、該環状の本体から部分的にせん断変形されることにより、該環状の本体の第１の面から突出し、対応する複数のくぼみ部を該第１の面から反対の位置の該環状の本体の第２の面内に残し、該突出部は、非圧縮高さを有し、該突出部が該接触表面と非圧縮状態で接触するときに、該半径方向に延在する部材の底面と該第２の面との間の距離が、該高さよりも大きくなる、荷重指示器と
を備える、荷重指示式留め具。
【請求項１９】
荷重指示式留め具を生産する方法であって、
第１の一連のネジ部と、接触表面部を画定するヘッド部と、該接触表面部に付随する軸部とを備える留め具本体を提供することと、
荷重指示器を提供することであって、該荷重指示器は、（ａ）最小の直径を有するスルーホール部と保持肩部とを画定する環状の本体と、（ｂ）山の頂を有し、該環状の本体と一体であり、該環状の本体から形成された複数の突出部であって、該環状の本体の第１の面から突出し、対応する複数のくぼみ部を該第１の面から反対の位置の該環状の本体の第２の面内に残す、突出部とを含む、ことと、
荷重指示器を該軸部のまわりに配置することであって、該突出部は、該ヘッド部の接触表面部の近くで該ヘッド部の接触表面部と位置合わせされる、ことと、
上面と、該軸部のまわりに該スルーホール部の最小直径より大きい外側の直径とを有する少なくとも１つの半径方向に延在する部材を画定することであって、該荷重指示器は、該保持肩部と係合するように構成されている該上面によって該留め具本体の上に保持され、該上面と該ヘッド部の接触表面との間の距離は、該保持肩部と該突出部の山の頂との間の距離よりも大きいことにより、該突出部がつぶされる前に、制御されたギャップが該上面と該保持肩部との間に存在する、ことと
を包含する、方法。
【請求項２０】
前記留め具本体は、前記ヘッド部および前記軸部を通して延在するスルーボア部を画定し、前記一連のネジ部は、該スルーボア部の内側表面に沿って提供される、請求項１９に記載の方法。
【請求項２１】
第２の外側の直径より大きい直径を有する環状の溝部を、前記スルーホール部のまわりに前記環状の本体の第２の面において形成して、該環状の本体内に前記保持肩部を画定するステップをさらに包含する、請求項２０に記載の方法。
【請求項２２】
前記少なくとも１つの半径方向に延在する部材を画定するステップは、半径方向に外側に向かって前記軸部の自由端部を変形させることにより、該半径方向に外側に向かって変形した自由端部が、前記環状の溝部において受容されることを含む、請求項２１に記載の方法。
【請求項２３】
前記少なくとも１つの半径方向に延在する部材を画定するステップは、前記軸部の外側の表面に沿って前記一連のネジ部を形成することを含む、請求項１９に記載の方法。